(57)【要約】補てつソケットは、その先端部に、ピンインターロック装置のような補てつソケット構成要素を収容する凹部と、ソケットの内側から凹部にアクセスすることができるねじが切られた開口部とを備えている。ねじが切られた保持部は、補てつソケット構成要素を凹部内に取り外し可能に保持するために、開口部のねじ部に螺入されるように固定される。
2004510495.tif 000002
【特許請求の範囲】
【請求項１】
基端部の開口端部と、主容積と、先端部とを備えた補てつソケットであって；前記先端部は補てつソケット構成要素を収容するために構成された凹部を備えていて；主容積と凹部との間のアクセス開口部を備えていて；前記アクセス開口部は、凹部内に配置され結合装置を備えた補てつソケット構成要素のための取り外し可能な保持部を収容するために構成されている補てつソケット。
【請求項２】
前記アクセス開口部は円形で、前記結合装置はらせん状のねじ部を備えている請求項１記載の補てつソケット。
【請求項３】
前記凹部内に配置された補てつソケット構成要素と、補てつソケット構成要素が前記凹部に取り外し可能に保持された位置で前記アクセス開口部に配置された前記結合装置と結合係合する取り外し可能な保持部とを備えている請求項１記載の補てつソケット。
【請求項４】
前記結合装置はらせん状のねじ部を備えていて、また、前記保持部装置はアクセス開口部のらせん状ねじ部と協同するために構成されたらせん状ねじ部を備えていて、それによって、保持部のらせん状ねじ部とアクセス開口部のらせん状ねじ部との間の係合に際し、保持部装置は、その回転によって補てつソケット構成要素と係合するように開口部を通って前進され、または、補てつソケット構成要素を前記凹部内に取り外し可能に保持するために開口部から取り外すためのものである請求項３記載の補てつソケット。
【請求項５】
前記保持部装置は、前記主容積内に開口している少なくとも１つの駆動スロットを備えていて、前記スロットは、前記スロットを係合するために構成された少なくとも１つの突起部を有する駆動部を収容するように配置されている請求項４記載の補てつソケット装置。
【請求項６】
前記補てつソケット構成要素は、ラチェットロックピン収容部およびロック装置、引き綱装置、または、バルブ装置からなるグループから選択される請求項５記載の補てつ装置。
【請求項７】
らせん状ねじ部は、側壁とともに一体的な部品にモールドされている請求項２記載の補てつソケット。
【請求項８】
前記アクセス開口部は円形で、また、前記結合装置はらせん状ねじ部を備えていて、前記結合装置は、前記アクセス開口部内に埋め込まれかつ前記らせん状ねじ部を形成する固定リングを備えている請求項１記載の補てつソケット。
【請求項９】
前記補てつソケット構成要素は前記凹部内に配置されていて、前記結合装置を有する取り外し可能な保持部結合装置は、補てつソケット構成要素が前記凹部内に取り外し可能に保持された前記アクセス開口部内に設けられている請求項１記載の補てつソケット。
【請求項１０】
前記結合装置は、前記補てつソケットによって前記先端部に取着されていて、前記取り外し可能な保持部と協同するのに適しているピラミッド型アダプタをさらに備えている請求項９記載の補てつソケット。
【請求項１１】
前記結合装置は、内部ねじ部を有しかつ先端部で前記補てつソケットに取着された４つ穴アダプタを備えていて、前記４つ穴アダプタは前記凹部および前記アクセス開口部を形成している請求項１記載の補てつソケット。
【請求項１２】
前記補てつソケット構成要素は前記凹部内に配置されていて、前記結合装置を有する取り外し可能な保持部結合装置は、補てつソケット構成要素が前記凹部内に取り外し可能に保持されたアクセス開口部内に設けられている請求項１０記載の補てつソケット。
【発明の詳細な説明】
【０００１】
この出願は、２０００年１０月４日に出願された出願番号第６０／２３７、３８１号の予備特許出願の利益を請求する。
【０００２】
発　明　の　背　景
１．発明の分野
本発明は、一体にされた補てつソケット（ｐｒｏｓｔｈｅｔｉｃ ｓｏｃｋｅｔ）構成要素保持部の特徴を有する補てつソケットに関する。
【０００３】
２．関連する技術
切断患者（ａｍｐｕｔｅｅ）の残った四肢（ｒｅｓｉｄｕａｌ ｌｉｍｂ）を収容するために設けられ、また、ソケットを補てつ装置に取着するための連結部のような補てつソケット構成要素を含むモールド（ｍｏｌｄ）された補てつソケットは、１９９５年１１月７日に許可された特許文献１および１９９８年１０月２０日に許可された特許文献２に開示されている。
そのような補てつソケットと関連したバルブまたはトルクアブソーバのような他の種々の補てつソケット構成要素は、１９９３年４月１３日に許可された特許文献３および１９７９年１月１６日に許可された特許文献４に開示されている。
【０００４】
種々の補てつソケット構成要素は、典型的には、ソケットが補てつ装置に接続されるのを可能にするために、または、他のものとして補てつソケットの使用を促進するのを可能にするために、ソケットの閉成された端部に接続されている。例えば、上述した特許文献１（米国特許第５、４６４、４４３号）は、切断患者の残った四肢を含んでいるライナー（ｌｉｎｅｒ）が、ソケットの閉成された端部に接続された補てつ装置と連結されるように、連結装置内に受けられた可撓性のライナーと関連した鋸歯状ポストまたはピンを示している。
【０００５】
上述した特許文献３（米国特許第５、２０１、７７４号）は、補てつソケット内に一体的にモールドされたバルブシステムを開示している。
公知の従来技術によれば、そのような補てつソケット構成要素は、典型的には補てつソケット内に一体的にモールドされるか、または、例えば、ピン連結システムまたはバルブのように、補てつソケット構成要素の交換を可能にするために取り外し可能な適切な固定具によってその外側に取着されている。
【０００６】
ピンインターロック、バルブ装置、引き綱（ｌａｎｙａｒｄ）装置、あるいは他の構成要素のような補てつソケット構成要素を補てつソケットの先端部内に簡単に組み合わせ、それによって、構成要素が、補てつソケットの先端部に取り外し可能に取着された保持部アセンブリを使用して補てつソケットの先端部内に取り外し可能に取着されることが強く要望されている。
【特許文献１】
米国特許第５、４６４、４４３号明細書
【特許文献２】
米国特許第５、８２４、１１０号明細書
【特許文献３】
米国特許第５、２０１、７７４号明細書
【特許文献４】
米国特許第４、１３４、１５９号明細書。
【０００７】
開　示　の　要　約
本発明の好ましい実施例によれば、補てつソケットの先端部は、補てつソケット構成要素を収容するための凹部（ｒｅｃｅｓｓ）を備える方法でモールドされ、補てつソケットの先端部は、凹部へのアクセスを提供する開口部を備えている。開口部は、その中にモールドされるかまたは取着された一体的な（ｉｎｔｅｇｒａｌ）ねじ部または他の接続態様を備えていて、その中には、凹部内に補てつソケット構成要素を有効に保持する保持部が螺入されまたは接続されている。保持部は、簡単で便利な方法で補てつソケット構成要素の交換を可能にするために、選択的に取り外し可能である。
これに替えて、別のアダプタが補てつソケットに取着できる。そのようなアダプタは、ピラミッド型（ｐｙｒａｍｉｄ−ｔｙｐｅ）および４つ穴（ｆｏｕｒ−ｈｏｌｅ）アタッチメントシステムのような別のタイプの補てつ装置を適応する。
本発明は、添付した図面を参照することによってより理解できる。
【０００８】
本発明の好ましい実施例の詳細な説明
図１を参照すると、補てつソケット１０は、切断患者の残った四肢（図示せず）を補てつソケットの開口端部１２内に収容するために、公知の技法に従って、合成および補強された構成要素で、鋳造（ｃａｓｔ）され、モールド（ｍｏｌｄ）され、ラミネートされ、または他の方法で形成されている。補てつソケット１０は、堅く、切断患者によってソケットに課された固有の負荷（ｌｏａｄ）を支持することができる。ソケット１０は、その開口端部を、膝下切断患者または膝上切断患者を収容するように成形することができる。このソケットは、適切な低摩擦構造物（ｆａｂｒｉｃ）（図示せず）と整列され、また、所望に応じて外側カバー（図示せず）を備えている。
【０００９】
ソケット１０は、その閉成された先端部１４において、その中に、以下に述べる方法でラチェット（ｒａｔｃｈｅｔ）または他のタイプのピン連結配置のような補てつソケット構成要素を収容するように構成され寸法が定められた補てつソケット構成要素の凹部１６が成形されている。適切な開口部１８が、その例を以下に述べるが、ラチェットまたは他のピン連結システム用の解放アクチュエータロッドを収容するために、凹部１６に隣接する補てつソケット装置の側壁に設けられている。
【００１０】
補てつソケット１０は、切断患者の残った四肢を収容するための主容積（ｐｒｉｍａｒｙ ｖｏｌｕｍｅ）２０を画定する。主容積２０と凹部１６との間に、本発明の好ましい実施例によれば、開口部２２の全長にわたって延び、一体的にモールドされたらせん状ねじ部（ｈｅｌｉｃａｌ ｔｈｒｅａｄ）２４を有する好ましくは円形のアクセス開口部２２が備えられている。開口部２２は、補てつソケット１０の先端部において凹部１６へのアクセスを提供する。
【００１１】
所望に応じて、例えば、以下に述べるような方法で凹部１６内に配置されたロックピン連結装置（図２参照）とともに使用されるロックピンを収容するために、凹部１６の延長部として、チャンバー２６が補てつソケット１０の先端部内にモールドされている。
図２において、図１に示された補てつソケット１０が、補てつソケット１０の先端部１４で凹部１６内に配置されたラチェットロックピンタイプの連結装置２８を有して示されている。連結装置２８は、開口部１８を通って挿入され後者が凹部１６内に配置された後で連結装置２８と組み立てられるロックピン解放ロッド３０との組み立てに先立って、凹部１６内に配置されている。
【００１２】
これに替えて、連結装置２８は、米国特許第５、９２８、２９０号；６、０９３、２１０号および６、２３５、０６２号によって教示されているようなロックピンシステム（図示しない）を備えていても良い。このロックピンシステムは、最小の抵抗でピンの挿入を調節するために寸法が定められ構成された円筒状のチャンネルと傾斜したワッシャ−とを有する固定装置を備えている。ロックピンシステムは、ピンが円筒状のチャンネルからロック解除されるのを阻止するためにピンを固定装置内で依然として確実に固定するけれども、ピンの回転を可能にする。
装置２８が凹部１６内に配置されロック解放ロッド３０と組み立てられた後、外側ねじ部３４を有する円筒状の保持部３２は、ねじ部３４が開口部２２のねじ部２４と対になる係合となるように、開口部２２内に螺入される。
【００１３】
保持装置３６は、保持部３２をねじ部３４、２４を介して連結装置２８内と取着係合するように係合し前進するために使用される。保持装置３６は、保持部３２の雌型スロットすなわち凹部４０と係合する雄型突起部３８と、ソケットレンチ工具によって係合が可能な六角ヘッド（ｈｅｘ ｈｅａｄ）４２とを備えている。突起部３８がスロット４０と係合する場合にヘッド４２に適用されるトルクは、保持部３２を回転するようにし、保持部が一方の方向に回転された場合、保持部を前進して装置２８とロック係合すなわち取着係合し、保持部が反対の方向へ回転された場合、上述した組み立て手順を逆にすることによって、保持部３２を取り外し、ついで装置２８を凹部１６から取り外せるようにする。
【００１４】
チャンバー２６は任意のものであり、また、補てつソケット１０の先端部１４はそのような付属物なしでモールドされるかまたは他の方法で形成されてもよいことを理解しなければならない。
装置２８は、主容積２０と補てつソケット１０の外側との間の伝達を提供するバルブ装置（図示しない）によって代用しても良いし、また、補てつソケットの先端部と通常に関連した適切な他のいかなる装置を含んでいても良い。例えば、引き綱（ｌａｎｙａｒｄ）装置（図示せず）が、引き綱を凹部１６から主容積２０の外側領域に延びるのを可能にするために、補てつソケットの先端部に形成された適切な開口部を有する凹部内に組み込まれていても良い。
【００１５】
らせん状ねじ部２４は、保持部３２が補てつソケット１０と接続されるのが可能になるための結合装置として示されているので、自動車の電球用のよく知られたバヨネット（ｂａｙｏｎｅｔ）タイプのソケットに類似したクイック分離装置を含む他のどのような適切な結合装置でも利用でき、または、補てつソケット構成要素がソケットの先端部で凹部１６領域内に取着される位置で、補てつソケット１０内での保持部３２の取着を可能にする他のどのような適切な接続部でも利用できることが理解される。
【００１６】
凹部１６が環状のすなわち円形の開口部として示されているので、凹部は、保持部３２によって凹部１６内に保持される所望の補てつソケット構成要素を収容するために寸法が定められ構成されているどのような適切な形状にでもできることが理解される。
【００１７】
関連する凹部１６、アクセス開口部２２、およびねじ部２４を有する補てつソケット１０は、例えば、公知の補てつ手順に従って切断患者の残った四肢の外側輪郭に一致するように事前に形成された、図３に示されたように補てつソケット材料をモールド（ｍｏｌｄ）４２に被せて（ｏｖｅｒ）ラミネートするかまたはモールドすることによって形成される。金属ガイド４４は、両面接着テープのような適切な固定具によってモールド４２の先端部４２’に固定されている。雄型プラグ部材４６は、ガイド４４と組み立てられていて、ワッシャ−４８が、プラグ４６内に取着されていない補てつソケット材料の漏洩に対してプラグ４６の内部を封止するために使用されてもよい。モールドプラグ５０は、プラグ４６の横開口部５２内に挿入され、付加的なモールドプラグ５４、５６はプラグ４６の先端部に組み立てられる。この全体の組み立ては次に、適切な補てつソケット材料がその上にモールドされ、ラミネートされ、または、他の方法で適用され、そして次に、堅い負荷支持材料に硬化され、図１と２に示されたような雄型モールドを形成する。
【００１８】
種々のモールドプラグ部材４６、５０、５４および５６は、補てつソケットの先端部に空所の形状を備えるように構成されていて、ソケットの先端部で種々の構成要素を収容する。例えば、図３に示された実施例において、プラグ４６は、図１に示された補てつソケットの開口部２２の一体的なねじ部２４をモールドするために使用される外側ねじ部５８を備えている。補てつソケット１０を形成するために使用された材料が、開示されたように、モールド４２とプラグ構成要素上にモールドされるかラミネートされた場合、モールドプラグ５６はチャンバー２６の内側輪郭を提供するために利用され、プラグ５０は開口部１８を提供するために使用される。
【００１９】
ねじ部がモールドプラグ５８上に示されているので、保持部３２と補てつソケット１０との間で所望されるあらゆる所望な結合装置に従って、他の適切な雄型または雌型輪郭がプラグ５８上に備えられることが理解される。同様に、好ましくは、保持部３２と開口部２２とに関連するねじ部または他の接続が、ソケット材料またはソケットの硬化可能な構成要素と一体的にモールドされているので、そのような接続システムは、ソケットの先端部内にモールドされるかまたは他の方法で取着されてサブ組み立てのように形成することができる。
【００２０】
図４は、図１の補てつソケットの他の実施例を示していて、図１の補てつソケットの開口部２２に形成された一体的なねじ部２４を交換するために補てつソケット１０によって埋め込まれまた取着された組み立てリング６０をさらに備えている。取着された組み立てリング６０は、プラグ４６の容易な取り外しを可能にする。図４の補てつソケットを形成するために使用された構成要素は、図３において使用された構成要素に類似していて、付加的に組み立てリング６０を有している。
【００２１】
図１の補てつソケットのこれに替わる他の実施例において、図６は、ピラミッド（ｐｙｒａｍｉｄ）結合部６８を備えた補てつソケット１０を示している。補てつソケット１０は、図１の補てつソケットの開口部に形成された一体的なねじ部２４を交換する組み立てリング６０を備えていて、ピラミッド結合部６８は、ソケットの先端部で凹部領域１６に設けられている。図７は、図６に示された補てつソケット１０を形成するために使用される構成要素を示している。この図６の補てつソケット１０を形成するために使用される構成要素は、図３に示された構成要素に類似していて、ピラミッド結合部６８、ピラミッドカップ７０および組み立てリング６０をさらに備えている。
【００２２】
図１の補てつソケットのこれに替わる他の実施例において、図８は、補てつソケット１０の先端部１４で凹部領域１６に設けられ取着された４つ穴（４−ｈｏｌｅ）アダプタ６２を有する補てつソケット１０を示している。４つ穴アダプタ６２は、内側にねじが切られていて、同様に、図１の補てつソケットの開口部２２に形成された一体的なねじ部２４を交換する。図９は、図８に示された補てつソケット１０を形成するために使用される構成要素を示している。図８の補てつソケット１０を形成するために使用される構成要素は、図３に示された構成要素に類似していて、さらに４つ穴アダプタ６２を備えている。
本発明の好ましい実施例が述べられてきたことが理解され、また、請求の範囲によって画定された本発明の目的および範囲からそれることなく、この分野の当業者によってそれらの種々の変更がなされることが理解される。
【図面の簡単な説明】
【図１】補てつソケット構成要素凹部と、凹部へのアクセスを可能にする開口部内にモールドされた一体的なねじ部とを有する補てつソケットの垂直断面図。
【図２】補てつソケットの先端部内にモールドされた凹部内の補てつソケット構成要素と、補てつソケット構成要素凹部にアクセスを提供するねじが設けられた円形の開口部内にねじ込まれる保持ナットを示す等角切り欠き図。
【図３】図１に示された補てつソケットを形成するために使用されるモールド装置およびモールド構成要素を示す図。
【図４】凹部へのアクセスを提供する開口部に取着された組み立てリングを備えた図１の補てつソケットの他の実施例の垂直断面図。
【図５】図４に示された補てつソケットを形成するために使用されるモールド装置およびモールド構成要素を示す図。
【図６】先端部で補てつソケットに取着された組み立てリングおよびピラミッド結合部を備えた図１の補てつソケットの他の実施例の垂直断面図。
【図７】図６に示された補てつソケットを形成するために使用されるモールド装置およびモールド構成要素を示す図。
【図８】先端部で補てつソケットに取着された４つ穴結合部を備えた図１の補てつソケットの他の実施例の垂直断面図。
【図９】図８に示された補てつソケット構成要素に示された補てつソケットを形成するために使用されるモールド装置およびモールド構成要素を示す図。
【図１】
2004510495.tif 000003
【図２】
2004510495.tif 000004
【図３】
2004510495.tif 000005
【図４】
2004510495.tif 000006
【図５】
2004510495.tif 000007
【図６】
2004510495.tif 000008
【図７】
2004510495.tif 000009
【図８】
2004510495.tif 000010
【図９】
2004510495.tif 000011
【国際公開パンフレット】
2004510495.tif 000012
2004510495.tif 000013
2004510495.tif 000014
2004510495.tif 000015
2004510495.tif 000016
2004510495.tif 000017
2004510495.tif 000018
2004510495.tif 000019
2004510495.tif 000020
2004510495.tif 000021
2004510495.tif 000022
2004510495.tif 000023
2004510495.tif 000024
2004510495.tif 000025
2004510495.tif 000026
2004510495.tif 000027
2004510495.tif 000028
2004510495.tif 000029
【国際調査報告】
2004510495.tif 000030